(57)【要約】      （修正有）【課題】ゴルフバッグの本体となるメインバッグとは別に、ゴルフクラブを４本前後収納することができる小型サブバッグについて、ゴルフのプレイ前やプレイ後、及び、プレイ中のコース移動時における管理をこれまでよりも非常に容易とすることができるゴルフバッグを提供する。【解決手段】ゴルフバッグＧは、メインバッグ１と、メインバッグ１に収納可能で、鉤状の取手部２２および支持脚部２１を有するサブバッグ２とからなる。メインバッグ１は、有底筒状の収納部１２とその上部に上方に向けて開口する第１の開口部１６を有するメインバッグ本体１０と、メインバッグ本体１０の第１の開口部を覆うフード部１１とを備える。メインバッグ本体１０の前面１４には、ショルダーベルト１４０と取手部１４１が設けられている。またメインバッグ本体１０の外面のうち第１の開口部１６の周縁には、フード部１１の縁部と係合する複数の係合手段を備えている。【選択図】図１
0003232363.tif 000002
【実用新案登録請求の範囲】
【請求項１】
ゴルフバッグの本体となるメインバッグと、該メインバッグに収納可能なサブバッグと、を有することを特徴とするゴルフバッグ。
【請求項２】
前記サブバッグは、収納部と、その上方に向けて開口する開口部を備え、開口部の近接位置に鉤状の取手部を有することを特徴とする請求項１に記載のゴルフバッグ。
【請求項３】
前記サブバッグは、支持脚部を備えることを特徴とする請求項１又は２のいずれか１項に記載のゴルフバッグ。
【請求項４】
前記メインバッグは、有底筒状の収納部と、その上方に向けて開口する開口部と、該開口部を覆うフード部とを有することを特徴とする請求項１、２又は３のいずれか１項に記載のゴルフバッグ。
【請求項５】
前記メインバッグは、上方に向けて開口する開口部と、該開口部を覆うフード部を有し、前記フード部は、前記メインバッグに収納された前記サブバッグにおける鉤状の取手部を覆うことを特徴とする請求項２に記載のゴルフバッグ。
【請求項６】
前記サブバッグにおける鉤状の取手部は、前記メインバッグの背面側に向けて設けられていることを特徴とする請求項２又は５に記載のゴルフバッグ。
【考案の詳細な説明】
【技術分野】
【０００１】
本考案は、ゴルフクラブを収納するためのゴルフバッグに関する。
【背景技術】
【０００２】
従来、ゴルフのプレイにおいては、１４本のゴルフクラブを一つのゴルフバッグに収め、キャディが随行し、カートを利用してゴルフバッグを移動させ、適時にプレイヤーが使用するクラブを、キャディが手渡ししていた。しかし、近年はコストダウン等を目的とした、キャディ随行なしのセルフプレイが一般的となっている。
【０００３】
セルフプレイでは、ゴルフバッグをカートに載せ、プレイヤー自身がカートを移動させ、目的地点で適宜ゴルフクラブを選択して使用する。
各ホールのグリーン付近においては、ボールの位置や状況によりゴルフクラブの選択肢が拡がることから、通常、４本前後のゴルフクラブを携行して、アプローチをすることが一般的になっている。
【０００４】
この際に、その４本前後のゴルフクラブを収納する小型携行バッグ（以下、サブバッグという。）が使用される。サブバッグは、ゴルフバッグとは別物であり、プレイヤーは、ゴルフバッグと、サブバッグの双方を別々に管理しなければならず、不便であった。
【０００５】
また、ゴルフのプレイ前、プレイ後においては、ゴルフバッグは通常クラブハウス等の運営者側がカートに載せて移動させるため、プレイヤーは管理が不要であるものの、サブバッグは、ゴルフのプレイ中のみならず、プレイ前やプレイ後もプレイヤーが携行しなければならず、非常に不便であった。例えば、プレイ前には、ゴルフ場に到着してゴルフバッグを荷下ろしした後、サブバッグを、ゴルフ場のフロント、着替え用ロッカー室を経由して、カートまで、プレイヤー自身で持ち運ぶ必要があり、プレイ後は、サブバッグを、カートから着替え用ロッカー室を経由して、ゴルフバッグを受け取って荷上げするまで、持ち運ぶ必要があり、非常に煩わしいものであった。また、このようにプレイヤーが持ち運ぶサブバッグは、紛失、盗難、忘れ物の心配もある。
【考案の概要】
【考案が解決しようとする課題】
【０００６】
本考案は以上の事情に鑑みてなされたものであり、サブバッグの管理を容易とすることができるゴルフバッグの提供を、考案が解決しようとする課題とする。
【課題を解決するための手段】
【０００７】
本考案は、ゴルフバッグの本体となるメインバッグと、該メインバッグ内に収納可能なサブバッグと、を有することを特徴とするゴルフバッグを、考案が解決しようとする課題とする。
【考案の効果】
【０００８】
本考案によれば、メインバッグと、該メインバッグ内に収納可能なサブバッグとを備えた構成としたことで、ゴルフのプレイ前やプレイ後において、メインバッグ内にサブバッグを収納することにより、サブバッグを携行する必要がなくなり、利便性を向上させることができる。例えば、プレイ前には、ゴルフ場に到着してゴルフバッグを荷下ろしした後、サブバッグを、ゴルフ場のフロント、着替え用ロッカー室を経由して、カートまで持ち運んだり、プレイ後には、サブバッグを、カートから着替え用ロッカー室を経由して、ゴルフバッグを受け取り、荷上げするまで、持ち運ぶというようなことがなくなり、煩わしさから解放される。
【０００９】
また、ゴルフのプレイ前やプレイ後において、メインバッグ内にサブバッグを収納することにより、サブバッグの紛失、盗難、忘れ物の虞をなくすことができる。
【００１０】
また、メインバッグ内にサブバッグを収納することにより、総重量の変わらないゴルフバッグのみを管理すれば足りることとなり、家庭においても車や電車等による移動の際にもスペースの節約となり、利便性を大いに向上させることができる。
【００１１】
また、予めサブバッグにアプローチ用のゴルフクラブを選択して収納しておくことにより、グリーン付近でサブバッグをメインバッグから取り出すだけで使用でき、アプローチ用のゴルフクラブの移し替えの手間を省くことができるため、利便性を向上させることができる。
【図面の簡単な説明】
【００１２】
【図１】本考案の実施例に係るゴルフバッグにおける側面図である。
【図２】本考案の実施例に係るゴルフバッグにおけるメインバッグ本体の第１の開口部を示す説明図であって（ａ）サブバッグを収納していない状態、（ｂ）サブバッグを収納した状態を示す説明図である。
【図３】本考案の実施例に係るサブバッグの展開状態を示す側面図である。
【図４】本考案の実施例に係るゴルフバッグにおけるメインバッグ本体の第１の開口部を示す説明図であって、取手部を含めてサブバッグを収納した状態を示す説明図である。
【考案を実施するための形態】
【００１３】
本考案の一実施形態に係るゴルフバッグは、メインバッグと、該メインバッグに収納可能なサブバッグとを有するようにしたものである（第１の構成）。
【００１４】
上記構成によれば、ゴルフのプレイ前やプレイ後、及び、プレイ中のコース移動時において、メインバッグ内にサブバッグを収納することにより、サブバッグを携行する必要がなくなり、利便性を向上させることができる。また、ゴルフバッグのみを管理すれば足りることとなり、利便性を向上させることができる。
【００１５】
また上記第１の構成について、サブバッグは、上方に向けて開口する開口部を備え、開口部の近接位置に鉤状の取手部を有する構成とすることができる（第２の構成）。
【００１６】
上記第２の構成によれば、上記第１の構成の作用効果を奏することができる上に、ゴルフのプレイ中においてコースを移動する際に、鉤状の取手部をカートに引掛けることによって、サブバッグを携行する必要がなくなり、利便性を向上させることができる。
【００１７】
また、上記第１若しくは第２の構成について、サブバッグは、支持脚部を備えるようにすることができる（第３の構成）。
【００１８】
上記第３の構成によれば、上記第１若しくは第２の構成の作用効果を奏することができる上に、プレイ中にサブバッグを支持脚部にて立設させることができ、利便性を向上できるとともに、使用時の外観体裁を良好とすることができる。
【００１９】
また、上記第１から第３の構成のいずれかの構成について、メインバッグは、有底筒状の収納部と、その上部において上方に向けて開口する開口部と、該開口部を被覆するフード部とを有する構成とすることができる（第４の構成）。
【００２０】
上記第４の構成によれば、上記第１から第３の構成のいずれかの作用効果を奏することができる上に、メインバッグに収納されるゴルフクラブだけでなく、メインバッグに収納されるサブバッグと、該サブバッグに収納されるゴルフクラブを覆うことができ、これらが風雨に晒されることを防止できる。
【００２１】
また、上記第２の構成について、メインバッグは、上方に向けて開口する開口部と、該開口部を覆うフード部を有し、前記フード部は、前記メインバッグに収納された前記サブバッグにおける鉤状の取手部を覆う構成とすることができる（第５の構成）。
【００２２】
上記第５の構成によれば、上記第２の構成の作用効果を奏することができる上に、サブバッグにおける鉤状の取手部が、外部に突出することがなく、不用意に他物へ引っ掛かることがなく安全性が高まる。また、当該鉤状の取手部が、外部に露出しないことで、外観体裁を良好とすることができる。
【００２３】
また、上記第２の構成または第５の構成について、サブバッグの鉤状の取手部は、メインバッグの背面側に向けて設けられている構成とすることができる（第６の構成）。
【００２４】
上記第６の構成によれば、フード部を開放若しくは脱着した場合に、サブバッグにおける鉤状の取手部が、ゴルフクラブに干渉することなく表れることから、当該鉤状の取手部を引き出すことにより、簡単にサブバッグを取り出すことができる。
【実施例】
【００２５】
以下、図面を参照し、本考案の実施例に係るゴルフバッグを説明する。図中同一又は相当部分には同一符号を付してその説明は繰り返さない。なお、説明を分かりやすくするために、以下で参照する図面においては、構成が簡略化又は模式化して示されたり、一部の構成部材が省略されたりしている。また、各図に示された構成部材の寸法比は、必ずしも実際の寸法比を示すものではない。
【００２６】
本考案の実施例に係るゴルフバッグは、図１に示すように、メインバッグ１と、メインバッグ１に収納可能で、鉤状の取手部２２および支持脚部２１を有するサブバッグ２とからなる。ここで、メインバッグ１とは、ゴルフバッグＧの本体である。サブバッグ２とは、ゴルフバッグＧの本体より小型で、グリーン近辺でアプローチに使用するパター等の４本前後のゴルフクラブを収納可能な携行バッグである。
【００２７】
メインバッグ１は、有底筒状の収納部１２とその上部に上方に向けて開口する第１の開口部１６を有するメインバッグ本体１０と、メインバッグ本体１０の第１の開口部を覆うフード部１１とを備える。
【００２８】
メインバッグ本体１０の前面１４には、ショルダーベルト１４０と取手部１４１が設けられている。またメインバッグ本体１０の外面のうち第１の開口部１６の周縁には、フード部１１の縁部と係合する複数の係合手段を備えている。
【００２９】
図２（ａ）に示すように、メインバッグ本体１０の収納空間には、仕切部が設けられている。仕切部は、ゴルフクラブ用仕切部１２０と、サブバッグ用仕切部１３０を有する。ゴルフクラブ用仕切部１２０は、複数のゴルフクラブを分離して仕切る部分である。サブバッグ用仕切部１３０は、ゴルフクラブとサブバッグ２を分離して仕切る部分である。メインバッグ１の収納部１２のうち、サブバッグ用仕切部１３０によって仕切られる空間をサブバッグ収納部１３とする。サブバッグ収納部１３は、サブバッグ２を収納可能とするのに足りる空間を有する。
【００３０】
図１に示すフード部１１は、メインバッグ本体１０の複数の係合手段（雄スナップボタン１００）と係合する複数の係合手段（雌スナップボタン１１０）を有している。フード部１１は、メインバッグ本体１０に収納されるゴルフクラブ、メインバッグ本体１０内に収納されたサブバッグ２に収納されるゴルフクラブ、及び、サブバッグ２の鉤状の取手部を覆うように構成されている。また、フード部１１には図示されないスライドファスナーが設けられており、メインバッグ本体１０からフード部１１を脱着しなくても、スライドファスナーの開閉によって、ゴルフクラブおよびサブバッグ２の取り出しが可能となっている。
【００３１】
サブバッグ２は、図１、図２（ｂ）、図３に示すように、上部に第２の開口部２３を有する袋状のサブバッグ本体２０と、サブバッグ本体２０の前面に設けられ、収納状態・展開状態が切替可能な支持脚部２１と、サブバッグ本体２０の第２の開口部２３の近傍であって背面側に設けられる鉤状の取手部２２とを有する。
【００３２】
図３に示すように、支持脚部２１は、サブバッグ本体２０を支持する支持部２１０と、二本の支持脚２１１と、当該支持脚２１１を展開状態から収納状態へ弾圧的に切り替えるための連結桿２１２を有する。支持部２１０は柱状であり、サブバッグ本体２０の前面の上下に沿って取り付けられている。支持脚２１１を下方に押し下げて、連結桿２１２の下端を地面に押し付けると、二本の支持脚２１１は展開状態となる。二本の支持脚２１１を展開状態とすると、図３に示すように、サブバッグ本体２０は、二本の支持脚２１１および連結桿２１２によって、傾斜した状態で起立支持されることとなる。
【００３３】
鉤状の取手部２２は、合成樹脂で形成されており、基端側となる円弧輪郭状の湾曲部２２０と、該湾曲部２２０から連続して形成される把持部２２１とからなる。
【００３４】
図２（ｂ）に示すように、サブバッグ収納用開口に対して、サブバッグ２を挿入し、サブバッグ収納部１３にサブバッグ２を収納する。本実施例においては、サブバッグ２における鉤状の取手部２２は、サブバッグ収納用開口からメインバッグ１の背面側に突出する姿勢となる。即ち、鉤状の取手部２２は、メインバッグの背面側に向けて設けられている。
【００３５】
メインバッグ本体１０の複数の係合手段（雄スナップボタン１００）と、フード部１１の複数の係合手段（雌スナップボタン１１０）を係着することでメインバッグ本体１０にフード部１１を取り付けることができる。
フード部１１は、メインバッグ本体１０に収納されるゴルフクラブ、メインバッグ本体１０内に収納されたサブバッグ２に収納されるゴルフクラブ、及び、サブバッグ２の鉤状の取手部を覆うように構成されているため、メインバッグ１の背面側に突出する当該鉤状の取手部２２は、図１に示すように、フード部１１によって、隠蔽される。
【００３６】
以上の構成を有することによって、ゴルフのプレイ前やプレイ後、及び、プレイ中のコース移動時において、メインバッグ１内にサブバッグ２を収納することにより、サブバッグを携行する必要がなくなり、利便性を向上させることができる。また、ゴルフバッグＧのみを管理すれば足りることとなり、利便性を向上させることができる。
【００３７】
また、サブバッグ２の鉤状の取手部２２はフード部１１により被覆されているために、不用意に他物へ引っ掛かることがなく安全性が高まる。また、当該鉤状の取手部２２が、外部に露出しないことで、外観体裁を良好とすることができる。
【００３８】
また、フード部１１をスライドファスナーにより開放するか、フード部１１とメインバッグ本体１０の相互の係着手段を取り外すことによって、鉤状の取手部２２が表れることから、当該鉤状の取手部２２を引き出すことにより、簡単にサブバッグ２を取り出すことができる。
【００３９】
また、鉤状の取手部２２は、カートに掛けることが可能であり、カートの移動の際には、サブバッグ２を携行する必要がなくなり、利便性を向上させることができる。
【００４０】
また、サブバッグ２に４本前後のゴルフクラブを予め収納しておき、他のゴルフクラブをメインバッグ１に収納しておくことで、メインバッグ１のゴルフクラブを抜き替えることもなく使用することができ、利便性を高めることができる。
【００４１】
また、上記実施例においては、サブバッグ２は、鉤状の取手部２２および支持脚部２１を備えているが、本考案においては、当該構成に限定されるものではなく、サブバッグ２は、鉤状の取手部２２のみを備えており且つ支持脚部２１を備えないものとしてもよいし、支持脚部２１のみを備えており且つ鉤状の取手部２２を備えないものであってもよいし、鉤状の取手部２２および支持脚部２１を備えないものでもよい。
【００４２】
また、上記実施例においては、取手部２２を鉤状の取手部２２としているが、本考案は当該構成に限定されるものではなく、取手部２２は他の任意の形状とすることも可能である。
【００４３】
また、上記実施例においては、鉤状の取手部２２は、フード部１１を脱着した状態において、メインバッグ１の背面１５側に突出した構成としているが、本考案においては、当該構成に限定されるものではなく、例えば、図４に示すように、サブバッグ２が取手部２２を含めてメインバッグ１におけるサブバッグ収納部１３に収納されるようにすることもできる。
【００４４】
また、上記実施例においては、メインバッグ１におけるサブバッグ収納部１３は、メインバッグ１の収納部１２のうち、背面１５側に設けた構成としているが、本考案においては、当該構成に限定されるものではなく、メインバッグ１の収納部１２のうち、前面１４側にサブバッグ収納部１３を設けた構成とすることも可能である。
【００４５】
また、上記実施例においては、サブバッグ２は第２の開口部２３を上端に有した構成であるが、例えば、サブバッグ２の第２の開口部２３に対して着脱可能に被覆するフード部を備えたものとすることも可能である。また、サブバッグ２は、スライドファスナー等の公知の手段を用いて、開閉可能な構成とすることも可能である。
【符号の説明】
【００４６】
Ｇ        ゴルフバッグ
１        メインバッグ
１０      メインバッグ本体
１００    雄スナップボタン
１１      フード部
１１０    雌スナップボタン
１２      収納部
１２０    ゴルフクラブ用仕切部
１３      サブバッグ収納部
１３０    サブバッグ用仕切部
１４      前面
１４０    ショルダーベルト
１４１    取手部
１５      背面
１６      第１の開口部
２        サブバッグ
２０      サブバッグ本体
２１      支持脚部
２１１    支持脚
２１２    連結桿
２２      鉤状の取手部
２２０    湾曲部
２２１    把持部
２３      第２の開口部
【図１】
0003232363.tif 000003
【図２】
0003232363.tif 000004
【図３】
0003232363.tif 000005
【図４】
0003232363.tif 000006